(57)【特許請求の範囲】
【請求項１】
１フレームを複数のサブフレームに時分割し、該複数のサブフレームの画像を１フレームの期間に表示することで、該１フレームの画像を表示する表示装置であって、
表示画面が複数の画面領域に分割され、各分割画面領域にて独立して画像表示可能な表示モジュールと、
上記表示モジュールの画像表示動作を制御する制御手段とを備え、
上記制御手段が、入力される画像信号を上記表示モジュールの分割画面領域に対応して分割する信号分割部と、
入力される画像信号より、上記複数の各サブフレーム毎の表示信号を生成する信号生成部とを含み、
画面領域の分割数とサブフレーム数とが等しく、
上記制御手段は、上記サブフレームの画像表示動作を制御するための制御信号を生成するタイミング制御部をさらに含み、
該タイミング制御部は、上記表示画面の全画素に対する初段のサブフレームの画像表示動作が、当該各画素に対する画像信号の、上記制御手段への入力から、該画像信号のフレーム期間の半分よりも短い時間に行われるように制御信号を生成し、
上記タイミング制御部は、各サブフレームの表示信号が出力されている時間が、各分割画面領域の入力画像信号の入力時間のずれに応じてずれるように、各分割画面領域用の各制御信号を出力するようになっており、
上記制御手段は、上記サブフレームの画像表示動作を制御するための制御信号を生成するタイミング制御部をさらに含み、
上記タイミング制御部は、同一段のサブフレームの画像表示動作のタイミングを隣接する分割画面領域間で異ならせ、最上位の分割画面領域より順次同一段のサブフレームの画像表示動作が行われるように制御信号を生成し、
上記タイミング制御部は、上記表示画面の各水平ラインに対する画像信号の入力から当該水平ラインに対する画像表示動作までの遅延時間を、初段のサブフレームにおいては入力される画像信号の１フレーム期間長が変化した場合でも変更せず、初段よりも時間的に後のサブフレームにおいては、定められた基準値未満の変化に対しては変更せず、上記基準値以上の変化に対しては変更することを特徴とする表示装置。
【請求項２】
１フレームを複数のサブフレームに時分割し、該複数のサブフレームの画像を１フレームの期間に表示することで、該１フレームの画像を表示する表示装置であって、
表示画面が複数の画面領域に分割され、各分割画面領域にて独立して画像表示可能な表示モジュールと、
上記表示モジュールの画像表示動作を制御する制御手段とを備え、
上記制御手段が、入力される画像信号を上記表示モジュールの分割画面領域に対応して分割する信号分割部と、
入力される画像信号より、上記複数の各サブフレーム毎の表示信号を生成する信号生成部とを含み、
画面領域の分割数とサブフレーム数とが等しく、
上記制御手段は、上記サブフレームの画像表示動作を制御するための制御信号を生成するタイミング制御部をさらに含み、
該タイミング制御部は、上記表示画面の全画素に対する初段のサブフレームの画像表示動作が、当該各画素に対する画像信号の、上記制御手段への入力から、該画像信号のフレーム期間の半分よりも短い時間に行われるように制御信号を生成し、
上記タイミング制御部は、各サブフレームの表示信号が出力されている時間が、各分割画面領域の入力画像信号の入力時間のずれに応じてずれるように、各分割画面領域用の各制御信号を出力するようになっており、
上記制御手段は、上記サブフレームの画像表示動作を制御するための制御信号を生成するタイミング制御部をさらに含み、
上記タイミング制御部は、同一段のサブフレームの画像表示動作のタイミングを隣接する分割画面領域間で異ならせ、最上位の分割画面領域より順次同一段のサブフレームの画像表示動作が行われるように制御信号を生成し、
上記制御手段は、入力される画像信号を格納するフレームメモリの書き込みと読み出しとを制御するメモリ制御部をさらに含み、
上記メモリ制御部は、ある分割画面領域に対応する最終段のサブフレームの表示信号が生成されると、該分割画面領域に対応する画像信号が格納されていた上記フレームメモリの領域に、入力されてくる別の分割領域に対応する画像信号を書き込んでいくことを特徴とする表示装置。
【請求項３】
上記表示画面が等分割されていることを特徴とする請求項１または２に記載の表示装置。
【請求項４】
上記各サブフレームにおける期間長が等しいことを特徴とする請求項１または２に記載の表示装置。
【請求項５】
表示モジュールにおける１水平走査期間長が入力される画像信号の１水平走査期間長と等しいことを特徴とする請求項１または２に記載の表示装置。
【請求項６】
画面分割数及びサブフレーム数が２であることを特徴とする請求項１または２に記載の表示装置。
【請求項７】
上記制御手段は、上記サブフレームの画像表示動作を制御するための制御信号を生成するタイミング制御部をさらに含み、
該タイミング制御部は、上記表示画面の全画素に対する初段のサブフレームの画像表示動作が、当該各画素に対する画像信号の、上記制御手段への入力から、該画像信号のフレーム期間の２０％よりも短い時間に行われるように制御信号を生成することを特徴とする請求項１または２に記載の表示装置。
【請求項８】
上記タイミング制御部は、上記表示画面の全水平ラインに対する同一段のサブフレーム
の画像表示動作が、当該各水平ラインに対する画像信号の、上記制御手段への入力から同一時間後に行われるように制御信号を生成することを特徴とする請求項１または２に記載の表示装置。
【請求項９】
上記タイミング制御部は、あるサブフレームにおいて、ある分割画面領域の表示画面の各水平ラインに対する画像信号の、上記制御手段への入力から当該水平ラインに対する画像表示動作までの遅延時間に対して、上記分割画面領域に隣接し、上記分割画面領域に続いて画像表示が行われる分割画面領域の当該水平ラインに対する画像信号の、上記制御手段への入力から画像表示動作までの遅延時間は、同じ、もしくは１フレーム期間の１８％未満の範囲でより長くなるように、制御信号を生成することを特徴とする請求項１または２に記載の表示装置。
【請求項１０】
上記タイミング制御部は、あるサブフレームにおいて、ある分割画面領域の表示画面の各水平ラインに対する画像信号の、上記制御手段への入力から当該水平ラインに対する画像表示動作までの遅延時間に対して、上記分割画面領域に隣接し、上記分割画面領域に続いて画像表示が行われる分割画面領域の当該水平ラインに対する画像信号の、上記制御手段への入力から画像表示動作までの遅延時間は、同じ、もしくは１フレーム期間の５％未満の範囲でより長くなるように、制御信号を生成することを特徴とする請求項１または２に記載の表示装置。
【請求項１１】
入力される画像信号を格納するフレームメモリにおける、静止画１フレームの該画像信号に対応した１フレームの画面表示を行う際に使用するアドレス空間容量が、１フレーム分の５０％以上１フレーム分未満であることを特徴とする請求項１または２に記載の表示装置。
【請求項１２】
上記信号生成部は、初段よりも時間的に後のサブフレームの表示信号は、入力される画像信号を格納するフレームメモリより読み出した画像信号を用いて生成し、初段のサブフレームの表示信号は、上記フレームメモリから読み出すことなく入力される画像信号をそのまま用いて生成することを特徴とする請求項１または２に記載の表示装置。
【請求項１３】
各分割画面領域の各サブフレームの表示信号における垂直帰線期間が、上記入力される画像信号の垂直帰線期間のサブフレーム数分の１であることを特徴とする請求項１、２、６、７又は１２に記載の表示装置。
【請求項１４】
テレビジョン放送を受信し、当該テレビジョン放送によって伝送された画像を示す画像信号を上記表示装置の制御装置へ入力する受像手段を備えていると共に、
上記表示モジュールは、液晶表示モジュールであり、
液晶テレビジョン受像機として動作することを特徴とする請求項１、２、６、７又は１２に記載の表示装置。
【請求項１５】
上記表示モジュールは、液晶表示モジュールであり、
上記制御装置には、外部から画像信号が入力されていると共に、
当該画像信号が示す画像を表示する液晶モニタ装置として動作することを特徴とする請求項１、２、６、７又は１２に記載の表示装置。
【発明の詳細な説明】
【技術分野】
【０００１】  本発明は、１画像を表示する１フレームを複数のサブフレームに時分割し、該複数のサブフレームの画像を１フレームの期間に表示することで１フレームの画像を表示する表示装置に関するものである。
【背景技術】
【０００２】  近年、ＣＲＴ（陰極線管）が用いられていた分野で、液晶表示モジュール、ＥＬ表示モジュールを備えたホールド型表示装置が用いられるようになってきている。【０００３】  しかしながら、このようなホールド型表示装置では、画像が表示される点灯期間と画像が表示されない消灯期間とが、交互に繰り返されるＣＲＴ（陰極線管）等のインパルス型表示装置に比べて、動画品質が劣ると言われている。【０００４】  これはつまり、一般的なホールド型表示装置では、１フレーム期間の全てが画像の点灯期間となるため、フレーム画像が更新されると、次のフレームに画像が更新されるまで物体がその位置に留まって表示され、これが、観察者の目には、動きボケとして見えてしまうためである。【０００５】  従来から、このような動画品質の改善を目的の一つとして、１画像を表示するフレームを複数のサブフレームに時分割して駆動するサブフレーム表示方法が提案されており、例えば特許文献１〜４に開示されている。【０００６】  一方、従来から、表示画面を垂直方向に分割し、上分割画面領域と下分割画面領域とを独立して表示走査させることが行われており、例えば、特許文献５、６に開示されている。
〔特許文献１〕
特開平４−３０２２８９号公報（公開日：１９９２年１０月２６日）
〔特許文献２〕
特開２００１−２８１６２５号公報（公開日：２００１年１０月１０日）
〔特許文献３〕
特開２００２−２３７０７号公報（公開日：２００２年１月２５日）
〔特許文献４〕
特開２００３−２２０６１号公報（公開日：２００３年１月２４日）
〔特許文献５〕
特開平１０−２６８２６１号公報（公開日；１９９８年１０月９日）
〔特許文献６〕
特開平９−２９７５６４号公報（公開日；１９９７年１１月１８日）
しかしながら、フレームを複数のサブフレームに時分割して駆動するサブフレーム表示は、フレームをサブフレームに時分割しなかった場合（液晶パネルであれば、１フレーム期間で液晶パネルの全ゲートラインを１回だけＯＮとする通常のホールド表示の場合）に比べて、画素に画像信号の電圧を印加する時間が短くなる。【０００７】  そのため、画素充電時間が不足するために画素に画像信号の電圧を十分に印加できず、表示品位が低下したり、サブフレーム数（フレームの分割数）を増やすことができなかったりといった問題を生じる。【０００８】  本発明は、上記の問題点に鑑みてなされたものであり、その目的は、フレームをサブフレームに時分割して駆動しても、画素充電時間を十分に得ることができる表示装置を提供することにある。
【発明の開示】
【０００９】  本発明の表示装置は、上記課題を解決するために、１フレームを複数のサブフレームに時分割し、該複数のサブフレームの画像を１フレームの期間に表示することで、該１フレームの画像を表示する表示装置であって、表示画面が複数の画面領域に分割され、各分割画面領域にて独立して画像表示可能な表示モジュールと、上記表示モジュールの画像表示動作を制御する制御手段とを備え、上記制御手段が、入力される画像信号を上記表示モジュールの分割画面領域に対応して分割する信号分割部と、入力される画像信号より、複数の各サブフレーム毎の表示信号を生成する信号生成部とを含むことを特徴としている。ここで、上記信号生成部は、動画ボケの改善などを意図して複数の各サブフレーム毎の表示信号を生成するものである。
【００１０】  １つのフレームを複数のサブフレームに時分割し、複数のサブフレームの画像を表示することで１フレームの画像を表示するサブフレーム表示を行う場合、１フレームの期間に、複数のサブフレームの画像を表示する必要がある。そのため、サブフレーム数がｍ個であれば、表示動作はｍ回行われることとなり、表示画面の各水平ラインはｍ回ＯＮされることとなる。そのため、１本の水平ラインがＯＮされる期間である選択期間は、サブフレーム表示を行わない場合の１／ｍ倍となり、画素に画像信号の電圧を十分に印加することができなくなる。
【００１１】  これに対し、上記構成では、表示モジュールとして表示画面が垂直方向に複数に分割され、各分割画面領域で独立して画像表示可能な表示モジュールを用いているので、本表示装置の場合、１本の水平ラインの選択期間は、画面分割数がｎであればｎ倍になり、サブフレーム表示を行ったとしても、画素に画像信号の電圧を印加する時間を長くでき、電圧を十分に印加することができるようになる。
【００１２】  また、本発明の表示装置では、上記表示画面が等分割され、また、画面領域の分割数とサブフレーム数とが等しい構成とすることが好ましい。
【００１３】  このような構成とすることで、制御手段に入力される画像信号の伝送周波数（伝送クロック周波数、ドットクロック周波数）と、各サブフレームの表示信号の伝送周波数とが等しくなり、サブフレーム表示信号の伝送周波数を変化させる必要がなくなる。
【００１４】  例えば、１フレームをｍ個のサブフレームに分割した場合、１フレームの期間でｍ回の画像動作を行う必要があり、各サブフレームの表示信号の伝送周波数はｍ倍になる。しかしながら、ここで、表示画面をｍ個に分割する（水平ライン数を１／ｍにする）ことで、伝送周波数をそのままにサブフレーム期間をフレーム期間の１／ｍにできる。
【００１５】  この場合、画面分割数及びサブフレーム数は２とすることが好ましく、これによれば、表示モジュールが液晶表示モジュールであっても、既存の技術を用いて画面が２分割された表示モジュールを容易に製造できると共に、信号生成部の負担も軽減できる。
【００１６】  また、本発明の表示装置では、各サブフレームの期間長は等しくする、或いは、表示モジュールにおける１水平走査期間長を、入力される画像信号の１水平走査期間長と等しくすることが好ましい。
【００１７】  上記構成によれば、各サブフレームにおいて、画像表示動作を行ってから次のサブフレームの画像表示動作によって当該サブフレームの表示が書き換わるまでの期間、すなわち実際のサブフレーム表示期間が全てのサブフレームにおいて等しくなる。
【００１８】  これにより、例えば複数の入力フレーム周波数（入力画像信号のフレーム周波数）に対応しており、入力のフレーム周波数が変更されてフレーム期間長が変更された場合においても、１フレーム期間内における各サブフレーム期間の時間比率は変らないため、各サブフレーム毎の表示輝度の１フレーム期間での時間積分量は変化せず、各サブフレーム用の階調変換値をフレーム周波数によらず共通とすることができ、上記信号生成部のコストアップを抑えることができる。
【００１９】  但し、表示モジュールの応答性能によっては動画ボケの改善効果を向上させるために各サブフレームの期間長を均等としない場合も考えられ、この場合はコストアップを伴っても入力フレーム周波数に応じた階調変換値を用意することになり、本発明はサブフレーム期間を均等とする場合に限定されるものではない。
【００２０】  また、本発明の表示装置では、さらに、上記制御手段は、上記サブフレームの画像表示動作を制御するための制御信号を生成するタイミング制御部をさらに含み、該タイミング制御部は、上記表示画面の全画素に対する初段のサブフレームの画像表示動作が、当該各画素に対する画像信号の入力から、該画像信号のフレーム期間の半分よりも短い時間に行われるように、より好ましくは２０％よりも短い時間に行われるように、制御信号を生成する構成とすることもできる。
【００２１】  上記構成によれば、表示画面の全画素に対する初段のサブフレームの画像表示動作が、当該各画素に対する画像信号の入力から、該画像信号の垂直期間の半分よりも短い時間に行われるようになるので、あるフレームの画像信号が入力してから、当該フレームの画像が表示モジュールに表示されるまで時間を短くできる。この場合、より好ましくは２０％よりも短い時間に行われるようにすることである。
【００２２】  したがって、本発明の表示装置をテレビジョン受像機等に用いた場合、画像信号の入力と実際の画像表示との間のタイムラグが問題となるが、これにより、表示画像と音声との間にズレが出るようなことがなく、音声を遅延させる回路等も不要になる。
【００２３】  また、本発明の表示装置を、ＰＣ（パーソナル・コンピュータ）やゲーム機器などの、入力操作に対して即座に画面表示の更新を行う必要のある機器類の表示装置として使用する場合にも、操作に対してタイムラグによる影響の少ない画像表示が可能となる。
【００２４】  具体例を挙げれば、入力される画像信号のフレーム周波数（垂直周波数）が６０Ｈｚである場合は、表示画面の全画素に対する初段のサブフレームの画像表示動作を、当該各画素に対する画像信号の入力から３．３ｍｓ以内に行わせることで、画像信号の入力と実際の画像表示との間のタイムラグが問題となることはない。
【００２５】  また、本発明の表示装置では、上記制御手段は、上記サブフレームの画像表示動作を制御するための制御信号を生成するタイミング制御部をさらに含み、上記タイミング制御部は、同一段のサブフレームの画像表示動作のタイミングを隣接する分割画面領域間で異ならせ、最上位の分割画面領域より順次同一段のサブフレームの画像表示動作が行われるように制御信号を生成する構成とすることもできる。
【００２６】  上記構成によれば、各分割画面領域にて独立に画像表示動作が行われるにあたり、同一段のサブフレームの画像表示が、最上位にある分割画面領域から順に行われるので、分割画面領域の境界部分にて表示画像が位置的かつ時間的に連続し、動画表示の際に上記境界部分で画像が分断されたように見えるティアリング現象の発生を回避して、動画表示の品位を向上させることができる。
【００２７】  しかも、このように、同一段のサブフレームの画像表示動作のタイミングが各分割画面領域間でずれることで、画像信号を格納するフレームメモリの必要メモリ量を減らすことができる。
【００２８】  つまり、画像信号は、最終段のサブフレームの表示信号が作成されるまでは、フレームメモリに蓄積しておく必要がある。そのため、分割画面領域間で、同一段のサブフレームの画像表示動作のタイミングが等しい場合、フレームメモリには１フレーム分の画像信号を全て蓄積しておくことが必要となる。
【００２９】  これに対し、上記構成として、同一段のサブフレームの画像表示のタイミングを各分割画面領域間でずらすことで、最終段のサブフレームの表示信号は、分割画面領域毎に作成されるため、ある分割画面領域用の最終段のサブフレームの表示信号を生成した後は、当該分割画面領域用に割り当てられていたメモリ領域に、入力されている画像信号を蓄積していくといった、分割画面領域間でメモリ領域を共用するといったことが可能となる。
【００３０】  メモリ領域の共用を図った場合に、フレームメモリに必要とされるメモリ量は、画面分割数およびサブフレーム数によって決まり、帰線期間の長さによって若干異なるが、画面分割数およびサブフレーム数がＮ場合、約（Ｎ−１）／Ｎフレーム分となる。例えば、画面分割数及びサブフレーム数が２であれば、１フレームの画像信号を蓄積するためのメモリ量の約１／２となる。
【００３１】  したがって、本発明の表示装置では、さらに、メモリにおける静止画１フレームの該画像信号に対応した１フレームの画面表示を行う際に使用するアドレス空間容量を、１画面分の５０％以上１画面分未満とすることができる。
【００３２】  或いは、本発明の表示装置では、さらに、制御手段は、入力される画像信号を格納するフレームメモリの書き込みと読み出しとを制御するメモリ制御部をさらに含み、上記メモリ制御部は、ある分割画面領域に対応する最終段のサブフレームの表示信号が生成されると、該分割画面領域に対応する画像信号が格納されていた上記フレームメモリの領域に、入力されてくる別の分割領域に対応する画像信号を書き込んでいくこと構成とすることができる。
【００３３】  このような構成とすることで、入力される画像信号を格納するフレームメモリとして、メモリ容量の小さいものを用いることができ、或いは、メモリ容量に余裕が生じることにより、空いているメモリのアドレス空間を利用して別の機能（例えば動画応答性能の改善のためのオーバーシュート駆動など）を付加することもできる。
【００３４】  本発明の表示装置では、さらに、最上位の分割画面領域より順次同一段のサブフレームの画像表示動作が行われるように制御信号を生成するにあたり、上記タイミング制御部は、上記表示画面の全水平ラインに対する同一段のサブフレームの画像表示動作が、当該各水平ラインに対する画像信号の入力から同一時間後に行われるように制御信号を生成する構成とすることもできる。
【００３５】  これによれば、分割画面領域の境界にて表示画像が位置的かつ時間的に確実に連続し、動画表示の際のティアリング現象の発生を確実に回避して、動画表示の品位をより一層向上させることができる。
【００３６】  また、本発明の表示装置では、最上位の分割画面領域より順次同一段のサブフレームの画像表示動作が行われるように制御信号を生成するにあたり、上記タイミング制御部が、あるサブフレームにおいて、ある分割画面領域の表示画面の各水平ラインに対する画像信号の入力から当該水平ラインに対する画像表示動作までの遅延時間に対して、上記分割画面領域に隣接し、上記分割画面領域に続いて画像表示が行われる分割画面領域の当該水平ラインに対する画像信号の入力から画像表示動作までの遅延時間は、同じ、もしくは１フレーム期間の１８％未満より好ましくは５％未満の範囲でより長くなるように、制御信号を生成するようにしてもよい。
【００３７】  ある分割画面領域のサブフレーム表示信号出力完了から、隣接する他の分割画面領域の当該サブフレーム表示信号出力開始までの時間は、１フレーム期間の１８％未満より好ましくは５％未満程度以内の遅延であれば、ティアリングによる動画品質の劣化は限定的であることを確認しているので、このような構成とすることで、設計が容易になる。
【００３８】  また、本発明の表示装置では、最上位の分割画面領域より順次同一段のサブフレームの画像表示動作が行われるように制御信号を生成するにあたり、上記タイミング制御部が、上記表示画面の各水平ラインに対する画像信号の入力から当該水平ラインに対する画像表示動作までの遅延時間を、初段のサブフレームにおいては入力される画像信号の１フレーム期間長が変化した場合でも変更せず、初段以降のサブフレームにおいては、定められた基準値未満の変化に対しては変更せず、上記基準値以上の変化に対しては変更する構成としてもよい。
【００３９】  本発明の表示装置を、例えば、テレビジョン受像機のチューナー部やＰＣなどの表示装置に用いた場合、画像信号源（外部入力装置）によっては、入力１フレーム期間長がわずかにゆらぐ場合がある。例えば入力１フレーム総ライン数が標準の総ライン数Ｔに対して、Ｔ−３〜Ｔ＋３の間でランダムに変化するような場合がある。この程度の入力１フレーム期間の変化に対して、常に入力の１フレーム総ライン数に追従して各サブフレーム期間長を微調整することは制御回路のコスト上昇を伴うが、上記構成とすることで、このようなコスト上昇を回避することができる。
また、本発明の表示装置では、さらに、初段以降のサブフレームの表示信号は、入力される画像信号を格納するフレームメモリより読み出した画像信号を用いて生成し、初段のサブフレームの表示信号は、上記フレームメモリから読み出すことなく入力される画像信号をそのまま用いて生成することを特徴とすることもできる。
【００４０】  上述したように、表示画面を等分割すると共に、画面分割数とサブフレーム数とを等しくすることで、制御手段に入力される画像信号の伝送周波数と、各サブフレームの表示信号の伝送周波数とが等しくなり、サブフレーム表示信号の伝送周波数を変化させる必要がない。これはつまり、入力画像信号を伝送周波数を変換させるためにメモリに一旦格納することなくそのまま用いることができることである。
【００４１】  上記構成は、これを利用しており、初段のサブフレームの表示信号を、上記フレームメモリから読み出すことなく入力される画像信号を用いて生成することで、上記フレームメモリに対するアクセス（書き込み・読み出し）回数を少なくでき、上記フレームメモリのメモリバンド幅を減らすことができる。
【００４２】  また、発明の表示装置において、各分割画面領域の各サブフレームの表示信号における垂直帰線期間を、上記入力される画像信号の垂直帰線期間のサブフレーム数分の１とすることが好ましい。
【００４３】  これによれば、各サブフレームにおいて、画像表示動作を行ってから次のサブフレームの画像表示動作によって当該サブフレームの表示が書き換わるまでの期間、すなわち実際のサブフレーム表示期間を全てのサブフレームにおいて等しくすることができる。
【００４４】  そしてまた、本発明に係る表示装置は、上記構成に加えて、テレビジョン放送を受信し、当該テレビジョン放送によって伝送された映像を示す映像信号を上記表示装置の駆動装置へ入力する受像手段を備えていると共に、上記表示部は、液晶表示パネルであり、表示装置は、液晶テレビジョン受像機として動作してもよい。さらに、上記構成に加えて、上記表示部は、液晶表示パネルであり、上記表示装置の駆動装置には、外部から映像信号が入力されていると共に、表示装置は、当該映像信号を示す映像を表示する液晶モニタ装置として動作してもよい。
【００４５】  本発明のさらに他の目的、特徴、および優れた点は、以下に示す記載によって十分わかるであろう。また、本発明の利益は、添付図面を参照した次の説明で明白になるであろう。
【図面の簡単な説明】
【００４６】
【図１】本発明の実施形態を示すものであり、画像表示装置の要部構成を示すブロック図である。
【図２】上記画像表示装置に設けられた画素の構成例を示す回路図である。
【図３】上記画像表示装置に設けられた制御装置が入力画像信号を処理して出力する出力表示信号（上画面用及び下画面用の各出力画像信号）と入力画像信号との関係を示すタイミングチャートである。
【図４】上記制御装置の各部における画像信号或いは表示信号の処理タイミングを示すタイミングチャートである。
【図５】別の実施形態の画像表示装置に設けられた制御装置が入力画像信号を処理して出力する出力表示信号（上画面用及び下画面用の各出力画像信号）と入力画像信号との関係を示すタイミングチャートである。
【図６】（ａ）〜（ｃ）は、ティアリング現象が発生して動画像の表示品位が低下することを示す説明図である。
【図７】時分割駆動を行う画像表示装置において入力階調レベルと出力階調レベルとの関係を示す図である
【図８（ａ）】ホールド駆動時において輝度の異なる２つの領域の境界線が移動する様子を示す図である。
【図８（ｂ）】擬似インパルス駆動時において輝度の異なる２つの領域の境界線が移動する様子を示す図である。
【符号の説明】
【００４７】  １    画像表示装置（表示装置）
２    画素アレイ（表示部）
１０    制御装置（制御手段）
１１    フレームメモリ（フレームメモリ）
１２    メモリコントローラ（メモリ制御部）
１３    タイミングコントローラ（タイミング制御部）
１４    上画面データセレクタ（信号分割部）
１５    下画面データセレクタ（信号分割部）
１６    上画面用時分割諧調変換ブロック（信号生成部）
１７    下画面用時分割諧調変換ブロック（信号生成部）
１９    表示モジュール
【発明を実施するための最良の形態】
【００４８】  本発明の一実施形態について図１ないし図８に基づいて説明すると以下の通りである。【００４９】  すなわち、本実施形態に係る表示装置（以下、本画像表示装置）は、フレームをサブフレームに時分割して駆動しても、画素充電時間を十分に得ることができる表示装置であって、例えば、テレビジョン受像機や、パーソナル・コンピュータに接続される表示モニタとして、好適に使用できる。【００５０】  なお、テレビジョン受像機が受像するテレビジョン放送の一例としては、地上波テレビジョン放送、ＢＳ（Ｂｒｏａｄｃａｓｔｉｎｇ  Ｓａｔｅｌｌｉｔｅ）ディジタル放送やＣＳ（Ｃｏｍｍｕｎｉｃａｔｉｏｎ  Ｓａｔｅｌｌｉｔｅ）ディジタル放送などの人工衛星を用いた放送、あるいは、ケーブルテレビテレビジョン放送などが挙げられる。【００５１】  本画像表示装置は、図１に示すように、表示モジュール１９と制御装置１０とを備えている。表示モジュール１９は、表示画面が垂直方向に２分割されており、上分割画面領域（以下、上画面領域）と下分割画面領域（以下、下画面領域）とが独立して駆動され、各分割画面領域にて画像を表示走査し得るものである。【００５２】  表示モジュール１９としては、ＥＬ表示モジュールや液晶表示モジュール等、ホールド表示型の表示モジュールを用いることができ、本画像表示装置では、液晶セルとして、垂直配向モードの液晶セル、すなわち、電圧無印加時には、液晶分子が基板に対して略垂直に配向し、画素の液晶容量への印加電圧に応じて、液晶分子が垂直配向状態から傾斜する液晶セルを採用し、当該液晶セルをノーマリブラックモード（電圧無印加時には、黒表示となるモード）で使用している。【００５３】  図２に、表示モジュール１９の詳細図を示す。表示モジュール１９は、マトリクス状に配された複数の画素を有する画素アレイ２０を備えており、該画素アレイ２０が、上画面領域と下画面領域とに対応して２分割されている。上画面領域に含まれる各画素は、データ信号線ＳＬ１〜ＳＬｎと、走査信号線（水平ライン）ＧＬ１〜ＧＬｍとの交点に配され、下画面領域に含まれる各画素は、データ信号線ＳＬ’１〜ＳＬ’ｎと、走査信号線（水平ライン）ＧＬ’１〜ＧＬ’ｍとの各交点に配されている。【００５４】  上記画素アレイ２０の周囲には、データ信号線ＳＬ１〜ＳＬｎを駆動する上画面用データ信号線ドライバ２１、走査信号線ＧＬ１〜ＧＬｍを駆動する上画面用走査信号線ドライバ２３、データ信号線ＳＬ’１〜ＳＬ’ｎを駆動する下画面用データ信号線ドライバ２２、走査信号線ＧＬ’１〜ＧＬ’ｍを駆動する下画面用走査信号線ドライバ２４が備えられている。【００５５】  上画面用データ信号線ドライバ２１には、後述する制御装置１０より上画面用表示信号と上画面用制御信号とが供給され、上画面用走査信号線ドライバ２３には、制御装置１０より上画面用制御信号が供給される。また、下画面用データ信号線ドライバ２２には、制御装置１０より下画面用表示信号と下画面用制御信号とが供給され、下画面用走査信号線ドライバ２４には、制御装置１０より下画面用制御信号が供給される。【００５６】  各走査信号線ドライバ２３・２４は、それぞれ対応する各走査信号線ＧＬ１〜ＧＬｍ或いは��Ｌ’１〜ＧＬ’ｍへ、例えば、電圧信号など、選択期間か否かを示す信号を出力する。その際、各走査信号線ドライバ２３・２４は、選択期間を示す信号を出力する走査信号線ＧＬ或いはＧＬ’を、上画面用或いは下画面用の対応する制御信号（クロック信号ＧＣＫやスタートパルス信号ＧＳＰ）などのタイミング信号に基づいて変更する。これにより、上下各分割画面領域において、各走査信号線ＧＬ１〜ＧＬｍ・ＧＬ’１〜ＧＬ’ｍは、予め定められたタイミングで、順次選択される。【００５７】  一方、各データ信号線ドライバ２１・２２は、上画面用或いは下画面用の対応する制御信号に基づいてデータ信号線ＳＬ１〜ＳＬｎ或いはＳＬ’１〜ＳＬ’ｎを駆動して、上画面用表示信号の示す電圧をデータ信号線ＳＬ１〜ＳＬｎに与え、下画面用表示信号の示す電圧をデータ信号線ＳＬ’１〜ＳＬ’ｎに与える。【００５８】  ここで各データ信号線ドライバ２１・２２は、上画面用或いは下画面用表示信号として時分割で入力される各画素への表示信号を、所定のタイミングでサンプリングするなどして、それぞれ抽出する。そして、各データ信号線ドライバ２１・２２は、対応する走査信号線ドライバ２３・２４が、選択中の走査信号線ＧＬに対応する各画素へ、各データ信号線ＳＬ１〜ＳＬｎ或いはＳＬ’１〜ＳＬ’ｎを介して、それぞれへの表示信号に応じた出力信号を出力する。【００５９】  なお、各データ信号線ドライバ２１・２２は、制御装置１０から入力される上画面用或いは下画面用の対応する制御信号（クロック信号ＳＣＫやスタートパルス信号ＳＳＰ）などのタイミング信号に基づいて、上記サンプリングタイミングや出力信号の出力タイミングを決定する。【００６０】  画素アレイ２０における各画素は、自らに対応する走査信号線ＧＬ或いはＧＬ’が選択されている間に、自らに対応するデータ信号線ＳＬ１〜ＳＬｎ或いはＳＬ’１〜ＳＬ’ｎに与えられた出力信号に応じて、発光する際の輝度や透過率などを調整して、自らの明るさを決定する。【００６１】  一方、制御装置１０は、上記表示モジュール１９の表示動作を制御するもので、外部より入力される画像信号（入力画像信号）及び制御信号（入力制御信号）を用いて、表示モジュール１９を駆動するための表示信号と制御信号とを生成して出力するものである。【００６２】  本画像表示装置では、フレームをサブフレームに時分割して表示するサブフレーム表示を採用しているので、制御装置１０は、表示モジュール１９に供給する表示信号を、複数のサブフレームの表示信号として生成する。【００６３】  加えて、本画像表示装置の場合、表示モジュール１９は２画面分割されているので、制御装置１０は、各分割画面領域に対応して、上画面領域の表示に用いられる上画面用表示信号及び上画面用制御信号、下画面領域の表示に用いられる下画面用表示信号及び下画面用制御信号とをそれぞれ生成する。【００６４】  このような制御装置１０に対して入力画像信号及び入力制御信号を伝送する画像信号源としては、例えば、本画像表示装置がテレビジョン受像機である場合は、テレビジョン放送を受信し、当該テレビジョン放送によって伝送された画像を示す画像信号を生成するチューナー（受像手段）を挙げることがで���る。また、本画像表示装置が表示モニタの場合、上記画像信号源として、例えば、パーソナル・コンピュータなどが挙げられる。【００６５】  本画像表示装置では、画像信号源からは制御装置１０へ入力画像信号として、デジタルの画像信号が、フレーム単位で伝送される場合を例示する。つまり、画像信号源は、制御装置１０に画像信号を伝送する際、あるフレームの画像信号を全て伝送した後に、次のフレームの画像信号を伝送するなどして、各フレーム用の画像信号を時分割伝送している。【００６６】  また、上記フレームは、複数の水平ラインから構成されており、入力画像信号は、例えば、あるフレームにおいて、ある水平ライン用の画像信号全てが伝送された後に、次に伝送する水平ライン用の画像信号を伝送するなどして、各水平ライン用の画像信号が時分割伝送されている。さらに、上記画像信号源は、１水平ライン分の画像信号を伝送する際も時分割伝送しており、予め定められた順番で、１水平ラインの各画素の画像信号が順次伝送される。【００６７】  制御装置１０は、画像信号源より伝送される入力画像信号に基づいて、上画面用表示信号と下画面用表示信号とをそれぞれ生成して出力するが、これら上画面用表示信号及び下画面用表示信号も、対応する分割画面領域の各画素への表示信号から構成され、かつ、フレーム分割されることで、あるフレームにおける各画素への画像信号が各サブフレームにおける各画素への画像信号の組み合わせとして与えられており、これらサブフレームにおける各画像信号も時分割で伝送される。【００６８】  より詳細に説明すると、制御装置１０は、上画面用表示信号、下画面用表示信号を伝送する際、あるフレームの表示信号を全て伝送した後に、次のフレームの表示信号を伝送することで、各フレームの表示信号を時分割伝送している。また、当該各フレームは、複数のサブフレームから構成されており、例えば、あるサブフレームの表示信号を全て伝送した後に、次に伝送するサブフレームの表示信号を伝送することで、各サブフレームの表示信号を時分割で伝送している。【００６９】  同様に、各サブフレーム表示信号は、複数の水平ライン用の表示信号からなり、当該水平ライン用の表示信号は、各画素への表示信号から構成されている。さらに、制御装置１０は、あるサブフレームの表示信号を送信する際、例えば、ある水平ライン用の表示信号全てが伝送された後に、次に伝送する水平ライン用の表示信号を伝送するなどして、各水平ライン用の表示信号が時分割伝送すると共に、各水平ライン用の表示信号を送信する際、例えば、予め定められた順番で、各画素への表示信号を順次伝送している。【００７０】  次に、上記制御装置１０の構成及び動作について、より詳細に説明する。図１に示すように、本画像表示装置の制御装置１０は、フレームメモリ１１、メモリコントローラ１２、タイミングコントローラ１３、上画面データセレクタ１４、下画面データセレクタ１５、上画面用時分割諧調変換ブロック１６、及び下画面用時分割諧調変換ブロック１７とから構成されている。このうち、メモリコントローラ１２〜下画面用時分割諧調変換ブロック１７までの部材は、コントローラＬＳＩ１８に搭載されている。【００７１】  画像信��源より送られる画像信号（入力画像信号）は、コントローラＬＳＩ１８の入力段で分岐され、メモリコントローラ１２と、上画面データセレクタ１４と、下画面データセレクタ１５とに送られる。【００７２】  メモリコントローラ（メモリ制御部）１２は、フレームメモリ（フレームメモリ）１１に対する書き込みと読み出しとを制御するものである。メモリコントローラ１２は、伝送された入力画像信号をフレームメモリ１１に書き込むと共に、並行してフレームメモリ１１から画像信号を読み出し、読み出した画像信号であるメモリ遅延画像信号を、上画面データセレクタ１４と下画面データセレクタ１５とに伝送する。【００７３】  上画面データセレクタ１４及び下画面データセレクタ１５は、本発明における信号分割部であり、画像信号を各分割画面領域に対応して分割するものである。これらデータセレクタ１４・１５には、分岐して伝送される入力画像信号と、メモリコントローラ１２を介して伝送されるメモリ遅延画像信号とが入力される。【００７４】  このうち、時間的に前のサブフレームを第１サブフレーム、時間的に後のサブフレームを第２サブフレームとすると、上画面データセレクタ１４は、第１サブフレームの表示信号を生成する場合は、分岐して伝送される入力画像信号の上画面領域に対応する部分のみを選択して上画面用時分割諧調変換ブロック１６へ伝送し、第２サブフレームの表示信号を生成する場合は、メモリ遅延画像信号の上画面領域に対応する部分のみを選択して上画面用時分割諧調変換ブロック１６へと伝送する。【００７５】  下画面データセレクタ１５も同様で、第１サブフレームの表示信号を生成する場合は、分岐して伝送される入力画像信号の下画面領域に対応する部分のみを選択して下画面用時分割諧調変換ブロック１７へ伝送し、第２サブフレームの表示信号を生成する場合は、メモリ遅延画像信号の下画面領域に対応する部分のみを選択して下画面用時分割諧調変換ブロック１７へと伝送する。【００７６】  上画面用時分割諧調変換ブロック１６及び下画面用時分割諧調変換ブロック１７は、本発明における信号生成部であり、入力される画像信号より、動画ボケの改善効果を意図して第１もしくは第２サブフレームの表示信号を生成するものである。【００７７】  これら時分割諧調変換ブロック１６・１７は、対応するデータセレクタ１４或いは１５より伝送される各分割画面領域の画像信号に基づいて、１フレーム期間を複数のサブフレームに分割する処理（サブフレーム処理）を行って、複数のサブフレームの表示信号からなる上画面用表示信号或いは下画面用表示信号を生成して、表示モジュール１９へと出力する。【００７８】  本画像表示装置では、上述したようにフレームを２つのサブフレームに分割しており、上画面用時分割諧調変換ブロック１６は、上画面データセレクタ１４からの選択的な伝送によって、入力される画像信号の上画面領域に対応する部分から第１サブフレームの表示信号を生成し、メモリ遅延画像信号の上画面領域に対応する部分から、第２サブフレームの表示信号を生成し、表示モジュール１９に伝送する。【００７９】  下画面用時分割諧調変換ブロック１７も同様に、下画面データセレクタ１５からの選択的な伝送によ���て、入力される画像信号の下画面領域に対応する部分から第１サブフレームの表示信号を生成し、メモリ遅延画像信号の下画面領域に対応する部分から、第２サブフレームの表示信号を生成し、表示モジュール１９に伝送する。なお、これら時分割諧調変換ブロック１６・１７におけるサブフレーム処理についての詳細については、後述する。【００８０】  そして、上記メモリコントローラ１２によるフレームメモリ１１へのアクセス動作のタイミングを始め、各画面データセレクタ１４・１５、及び各画面用時分割諧調変換ブロック１６・１７における動作タイミング等は、タイミングコントローラ１３にて制御されている。このタイミングコントローラ１３が、本発明のタイミング制御部としての機能も有し、表示モジュール１９に与える上画面用及び下画面用の各制御信号を出力するものでもある。【００８１】  図３に、制御装置１０における入力画像信号と出力表示信号（上画面用及び下画面用の各表示信号）との時間軸上の関係を示す。また、図４に、制御装置１０の各部における画像信号或いは表示信号のタイミングを示す。【００８２】  本画像表示装置の場合、表示画面を２画面に分けて上画面領域と下画面領域とで別駆動しているため、図３に示すように、第１及び第２の各サブフレームの表示信号の伝送周波数は、入力画像信号の伝送周波数に対して高められていない。なお、図３では、垂直画面位置をそのフレーム期間（垂直帰線期間を除く）或いはサブフレーム期間（サブフレーム垂直帰線期間を除く）で横切る→の傾きで表されており、傾きが急峻になるほど、伝送周波数が高いことを示している。【００８３】  これはつまり、複数のサブフレームに時分割していながら時分割しない場合と同程度に画素に画像信号の電圧を印加する時間を長くできていることであり、フレームをサブフレームに時分割して駆動しても、画素充電時間を十分に得ることができる表示装置が実現されている。【００８４】  しかも、本画像表示装置では、上記各分割表示画面の走査信号線数が等しく、画面分割数とサブフレーム数とが等しい構成となっているので、入力画像信号の伝送周波数と、各サブフレームの表示信号の伝送周波数とが等しくなっている。【００８５】  そして、図３に示すように、制御装置１０は、表示画面の全画素に対する第１サブフレームの画像表示動作が、当該各画素に対する画像信号の入力から、該画像信号のフレーム期間の半分よりも短い時間に行われるように、この場合はより好ましい条件として該画像信号のフレーム期間の２０％よりも短い時間に行われるように、上画面領域及び下画面領域それぞれに対して、第１サブフレームの表示信号を出力しており、上画面領域の第１サブフレームの表示信号が出力されている時間と、下画面領域の第１サブフレームの表示信号が出力されている時間とが、各分割画面領域の入力画像信号の入力時間のずれに応じてずれるように駆動している。【００８６】  ここで、図５に、２画面分割の表示モジュールに対し、単純に２つのサブフレームを用いてサブフレーム表示を行わせるようにした場合の、入力画像信号と出力表示信号（上画面用及び下画面用の各表示信号）との時間軸上の関係を示す。【００８７】  図５に示すように、単純に組み合わせると、時分割で伝送されてくる入力画像信号における第Ｎフレームの画像信号の入力終了のタイミングで、上画面領域及び下画面領域それぞれに対して、第Ｎフレームの第１サブフレームの表示信号を出力し、上画面領域の第１サブフレームの表示信号が出力されている時間と、下画面領域の第１サブフレームの表示信号が出力されている時間とが同じになるように駆動される。【００８８】  このような駆動方法でも、確かに、画素に画像信号の電圧を印加する時間を長くでき、かつ、入力画像信号の伝送周波数と、各サブフレームの表示信号の伝送周波数とを等しくなできる。【００８９】  しかしながら、このような駆動方法では、テレビジョン受像機等に用いた場合、画像信号の入力と実際の画像表示との間にタイムラグが発生し、表示画像と音声との間にズレが出てしまうことがある。また、ＰＣやゲーム機器などの、入力操作に対して即座に画面表示の更新を行う必要のある機器類の画像表示装置として使用する場合にも、操作に対してタイムラグが発生し操作快適性を低下させる。【００９０】  これは、表示画面の全画素に対する第１サブフレームの画像表示動作が、当該各画素に対する画像信号の入力から、該画像信号の１フレーム期間後に出力されるためである。入力画像信号の垂直周波数が６０Ｈｚである場合は、そのタイムラグは約１６ｍｓにもなる。【００９１】  これに対し、本画像表示装置の場合、表示画面の全画素に対する第１サブフレームの画像表示動作が、当該各画素に対する画像信号の入力から、該画像信号のフレーム期間の半分より、より好ましくは２０％よりも短い時間に行われる。【００９２】  したがって、フレームの画像信号が入力してから、当該フレームの画像が表示モジュールに表示されるまで時間を短くなり、テレビジョン受像機に本画像表示装置を用いたとしても、画像信号の入力と実際の画像表示との間のタイムラグが問題となることがない。また、ＰＣやゲーム機器などの入力操作に対して即座に画面表示の更新を行う必要のある機器類の画像表示装置として使用する場合にも、操作に対してタイムラグによる影響の少ない画像表示が可能となる。【００９３】  具体的には、制御装置１０は、入力される画像信号のフレーム周波数（垂直周波数）が６０Ｈｚである場合は、表示画面の全画素に対する第１サブフレームの画像表示動作を、当該各画素に対する画像信号の入力から３．３ｍｓ以内に行わせる。【００９４】  ところで、図５に示すような駆動方法、つまり、上画面領域の第１サブフレームの表示信号が出力されている時間と、下画面領域の第１サブフレームの表示信号が出力されている時間とが同じになる駆動方法では、タイムラグの課題以外に、以下のような課題がある。【００９５】  １つは、動画を表示した際に、ティアリング現象が発生して動画像の表示品位が低下することである。つまり、図６（ａ）に示すような静止画を横スクロールさせた場合に、表示画面を上下分割しない場合には、図６（ｂ）のように見えるものが、図６（ｃ）に示すように、分割画面領域の境界部で画像が分断されて（ティアリング現象）見えてしまう。【００９６】  また、フレームメモリ１１に蓄積した１フレームの画像信号は、最終段のサブフレームの表示信号が作成されるまでは残しておく必要があるため、分割画面領域間で、同一サブフレームの画像表示タイミングが等しい場合、分割画面領域間でフレームメモリ１１のメモリ領域を共用することができない。図５の駆動方法では、Ｎ＋１フレームの画像信号を書き込む期間と並行に、前に書き込まれたＮフレームの画像信号を（２度）読出す必要があるため、格納用と読み出しようとで２画面分（２フレーム分）のメモリ容量が必要となっている。【００９７】  さらに、全てのサブフレームの表示信号を、フレームメモリ１１に格納した画像信号を読み出すことで作成するようになっているので、フレームメモリ１１に対するアクセス数が多く、フレームメモリ１１に必要とされるメモリバンド幅が大きくなる。図５の駆動方法では、入力画像信号の伝送周波数＝Ｆ（Ｈｚ）、１画素当りのデータビット数＝Ｄとすると、入力１画面の書き込みと出力２画面の倍速読出しを並行して行うため、メモリバンド゛幅は、ＦＤ＋（２Ｆ）Ｄ＊２＝５ＦＤ（ｂｐｓ）となる。【００９８】  これに対し、本画像表示装置の場合、図３に示すように、上画面領域と下画面領域とで、第１、第２の各サブフレームの表示信号が出力されている時間、つまり、同一段のサブフレームの表示動作のタイミングが異なり、上画面領域（最上位にある分割画面領域）より順次同一段のサブフレームの画像表示動作が行われているので、動画表示の際に、ティアリング現象も目立たせず、動画表示の品位を向上させることができる。【００９９】  しかも、上記のように、同一段のサブフレームの画像表示のタイミングを各分割画面領域間でずらしたことで、画像信号を格納しているフレームメモリ１１の必要メモリ量を減らすことができる。つまり、画像信号は、最終段である第２サブフレームの表示信号が作成されるまでは、フレームメモリ１１に蓄積しておく必要がある。そのため、分割画面領域間で、同一段のサブフレームの画像表示のタイミングが等しい場合、メモリには１フレーム分の画像信号を全て蓄積しておくことが必要となる。【０１００】  これに対し、このように、同一段のサブフレームの画像表示のタイミングを各分割画面領域間でずらすことで、最終段である第２サブフレームの表示信号は、分割画面領域毎に作成されるので、上画面用の第２サブフレームの表示信号を生成した後は、上画面に割り当てられていたメモリ領域に、入力されている下画面用の画像信号を蓄積していくといった、分割画面領域間でフレームメモリ１１のメモリ領域を共用することが可能となる。【０１０１】  メモリ領域の共用を図った場合、静止画１フレームの該画像信号に対応した１フレームの画面表示を行う際にフレームメモリで使用されるメモリ量は、画面分割数およびサブフレーム数によって決まり、帰線期間の長さによって若干異なるが、画面分割数およびサブフレーム数がＮ場合、約（Ｎ−１）／Ｎフレーム分となり、ここでは、画面分割数及びサブフレーム数が２であるので、０．５画面分＋サブフレームの垂直帰線期間分となる。【０１０２】  本表示装置では、メモリコントローラ１２が、上画面領域に対応する第２サブフレームの表示信号が生成されると、該分割画面領域に対応する画像信号が格納されていたメモリ領域に、入力されてくる下画面領域に対応する画像信号を書き込んでいくようになっている。【０１０３】  これにより、フレームメモリ１１における静止画１フレームの該画像信号に対応した１フレームの画面表示を行う際に使用するアドレス空間容量を、１画面分の５０％以上１画面分未満とすることができる。そして、メモリ容量に余裕が生じることにより、空いているメモリのアドレス空間を利用して別の機能（例えば動画応答性能の改善のためのオーバーシュート駆動など）を付加することもできる。【０１０４】  さらに、制御装置１０においては、入力画像信号の伝送周波数と、各サブフレームの表示信号の伝送周波数とが等しいことを利用して、入力画像信号を分岐して上画面データセレクタ１４と下画面データセレクタ１５にも入力させ、各分割画面領域における第１サブフレームの表示信号は、この入力画像信号を用いて生成し、各分割画面領域における第２サブフレームの表示信号のみ、フレームメモリ１１に格納されている画像信号を読み出して生成させている。【０１０５】  したがって、フレームメモリ１１へのアクセス回数を減らして、フレームメモリ１１において必要とされるメモリバンド幅を小さくできる。具体的には、入力画像信号の伝送周波数＝Ｆ（Ｈｚ）、１画素当りのデータビット数＝Ｄとすると、入力１画面の書き込みと出力１画面の読出しを並行して行うためのメモリバンド゛幅は、ＦＤ＋ＦＤ＝２ＦＤ（ｂｐｓ）となる。【０１０６】  また、制御装置１０は、さらに、表示画面の全画素に対する同一段のサブフレームの画像表示動作が、当該各画素に対する画像信号の入力から同一時間後に行われるように制御している。これにより、図３、図４に丸印を付して示すように、上画面の第１サブフレームの表示信号（１ｓｔ）の出力完了のタイミングに合わせて下画面の第１サブフレームの表示信号（１ｓｔ）の出力が開始され、同様に上画面の第２サブフレームの表示信号（２ｎｄ）の出力完了のタイミングに合わせて下画面の第２サブフレームの表示信号（２ｎｄ）の出力が開始されるようになり、分割画面領域の境界にて表示画像が位置的かつ時間的に確実に連続し、動画表示の際にティアリング現象を発生することなく、動画表示の品位をより一層向上させることができる。【０１０７】  なお、上記の構成がより望ましいものの、上画面領域のサブフレーム表示信号出力完了から、下画面領域の当該サブフレーム表示信号出力開始までの時間は、１フレーム期間の１８％未満より好ましくは５％未満程度以内の遅延であれば、ティアリングによる動画品質の劣化は限定的である。【０１０８】  したがって、最上位の分割画面領域より順次同一段のサブフレームの画像表示動作を行うにあたり、あるサブフレームにおいて、ある分割画面領域の表示画面の各水平ラインに対する画像信号の入力から当該水平ラインに対する画像表示動作までの遅延時間に対して、上記分割画面領域に隣接し、上記分割画面領域に続いて画像表示が行われる分割画面領域の当該水平ラインに対する画像信号の入力から画像表示動作までの遅延時間は、同じ、もしくは１フレーム期間の１８％未満より好ましくは５％未満の範囲でより長くなるように、制御信号を生成するようにしてもよい。【０１０９】  また、本画像表示装置は、６０Ｈｚと５０Ｈｚの２種類の入力フレーム周波数に対応しており、上記制御装置１０は入力のフレーム周波数の変更（すなわち１フレーム期間長の変更）に応じて、各水平ラインに対する画像信号の入力から第２サブフレームの表示動作までの時間を変更することで、第１サブフレームと第２サブフレームの表示期間長が等しくなるように制御している。【０１１０】  このために、上記制御装置１０では、各分割画面領域の各サブフレームの表示信号における垂直帰線期間を、入力される画像信号の垂直帰線期間のサブフレーム数分の１、つまり、１／２に設定している。【０１１１】  これによれば、各サブフレームにおいて、画像表示動作を行ってから次のサブフレームの画像表示動作によって当該サブフレームの表示が書き換わるまでの期間、すなわち実際のサブフレーム表示期間が２つのサブフレーム間で等しくなる。【０１１２】  複数あるサブフレームの表示期間を揃えることで、入力のフレーム周波数が変更されて１フレーム期間長が変更された場合においても１フレーム期間内における各サブフレーム期間の時間比率は変らないため、各サブフレーム毎の表示輝度の１フレーム期間での時間積分量は変化しない。このため各サブフレーム用の階調変換値をフレーム周波数によらず共通とすることができ、時分割階調変換ブロック１６・１７のコストを抑えることができる。【０１１３】  なお、表示モジュールの応答性能によっては動画ボケの改善効果を向上させるために各サブフレームの期間長を均等としない場合も考えられ、この場合はコストアップを伴っても入力フレーム周波数に応じた階調変換値を用意することになり、本発明はサブフレーム期間を均等とする場合に限定されるものではない。【０１１４】  一方、ＴＶ受像機のチューナー部やＰＣなど本画像表示装置に対する外部入力装置によっては、入力１フレーム期間長がわずかにゆらぐ場合がある。例えば入力１フレーム総ライン数が標準の総ライン数Ｔに対して、Ｔ−３〜Ｔ＋３の間でランダムに変化するような場合がある。この程度の入力１フレーム期間の変化に対して、常に入力の１フレーム総ライン数に追従して各サブフレーム期間長を微調整することは制御装置１０のコスト上昇を伴う。【０１１５】  そこで、本画像表示装置では、表示画面の各水平ラインに対する画像信号の入力から当該水平ラインに対する画像表示動作までの遅延時間を、初段である第１サブフレームにおいては入力される画像信号の１フレーム期間長が変化した場合でも変更せず、第２サブフレーム（初段以降のサブフレーム）においては、定められた基準値未満の変化に対しては変更せず、上記基準値以上の変化に対しては変更するようにしている。【０１１６】  これにより、入力１フレーム総ライン数が標準の総ライン数Ｔに対して、Ｔ−３〜Ｔ＋３の間でランダムに変化しても、総ライン数の標準値Ｔを基準に各水平ラインに対する画像信号の入力から第２サブフレームの各水平ライン表示動作までの時間を設定し変更しないので、制御装置１０のコスト上昇を回避できる。【０１１７】  なお、本画像表示装置では、上述したように、６０Ｈｚと５０Ｈｚの２種類の入力フレーム周波数に対応しているので、上記制御装置１０においては入力１フレーム総ライン数の基準値として６０Ｈｚ用のＴ１と５０Ｈｚ用のＴ２を備えている。【０１１８】  以降、上記制御装置１０に備えられる、時分割諧調変換ブロック１６・１７におけるサブフレーム処理について説明する。【０１１９】  上画面用時分割諧調変換ブロック１６及び下画面用時分割諧調変換ブロック１７は、特に図示してはいないが、画像信号を第１サブフレームの表示信号に変換するための対応表である前段ＬＵＴ（ｌｏｏｋ−ｕｐ  ｔａｂｌｅ）と、画像信号を第２サブフレームの表示信号に変換するための対応表である後段ＬＵＴとを備えている。【０１２０】  上記前段及び後段の各ＬＵＴに格納されている値は、以下のように設定されている。なお、ここでは、第２サブフレームの表示信号が第１サブフレームの表示信号よりも高い輝度を示すように設定した例を示すが、逆であってもよい。【０１２１】  すなわち、画像信号の階調が予め定められた閾値以下の階調（閾値の示す輝度と同じかより低い輝度）を示している場合、第１サブフレームの表示信号の値は、暗表示用に定められた範囲内の値に設定され、第２サブフレームの表示信号の値は、当該第１サブフレームの表示信号の値と画像信号の階調値とに応じた値に設定されている。なお、暗表示用の範囲は、暗表示用に予め定められた階調以下の階調であり、当該暗表示用に予め定められた階調が最低輝度を示している場合は、最低輝度を示す階調（黒）である。【０１２２】  これとは逆に、画像信号の階調が予め定められた閾値よりも明るい階調（閾値の示す輝度よりも高い輝度）を示している場合、第２サブフレームの表示信号の値は、明表示用に定められた範囲内の値に設定され、第１サブフレームの表示信号の値は、当該第２サブフレームの表示信号の値と上記画像信号の階調とに応じた値に設定されている。なお、明表示用の範囲は、明表示用に予め定められた階調以上の階調であり、当該明表示用に予め定められた階調が最高輝度を示している場合は、最高輝度を示す階調（白）である。【０１２３】  上記のような上画面用および下画面用時分割階調変換ブロック１６・１７に入力される画像信号の階調に応じて、第１サブフレームと第２サブフレームの表示階調に変換する場合の一例を図７に示す。【０１２４】  入力画像信号の階調レベルが大きい場合には、両方のサブフレームに入力画像信号の階調レベルを配分する。この時、入力階調レベルが最大の場合と最小の場合との輝度積分値の差を最大限に確保する。また、コントラスト比の低下を避けつつインパルス化を図るために、可能な限り、第２サブフレームに大きな出力階調レベルを配分し、第１サブフレームに小さな出力階調レベルを配分する。【０１２５】  この結果、あるフレームにおける、ある画素の画像信号が、上記閾値以下の階調を示している場合、すなわち、低輝度領域では、当該フレームにおける当該画素の輝度の高低は、主として、第２サブフレームの表示信号の値の大小によって制御される。【０１２６】  したがって、該画素の表示状態を、当該フレームのうち、少なくとも第１サブフレームの期間には、暗表示状態にすることができる。これにより、あるフレームにおける画像信号の階調が低輝度領域の階調を示してい���ときに、当該フレームにおける画素の発光状態を、ＣＲＴ（Ｃａｔｈｏｄｅ−Ｒａｙ  Ｔｕｂｅ）のようなインパルス型発光に近づけることができ、画素アレイ２０に動画表示する際の画質を向上できる。【０１２７】  ここで、インパルス駆動によって動画ボケの抑制効果が得られる理由について、図８（ａ）（ｂ）を参照して簡単に説明すると以下の通りである。【０１２８】  図８（ａ）は、ホールド駆動時において輝度の異なる２つの領域の境界線が移動する様子を、縦軸を時間、横軸を位置として表した図である。同様に、図８（ｂ）は、擬似インパルス駆動時において輝度の異なる２つの領域の境界線が移動する様子を表した図である。尚、擬似インパルス駆動を示す図８（ｂ）の図において、サブフレームの分割数は２分割、その分割比は１：１の等分割とする。【０１２９】  このように境界線が移動する場合、観察者の視線は境界線の移動に伴って移動する、すなわち、図８（ａ）において観察者の視線は矢印１０１・１０２で表される。そして、上記境界線付近において観察者に見える輝度分布は、視線の移動に沿って表示輝度を時間積分したものとなる。このため、図８（ａ）において、矢印１０１よりも左側の領域では境界線よりも左側の領域と同輝度に知覚され、矢印１０２よりも右側の領域では境界線よりも右側の領域と同輝度に知覚される。一方で、矢印１０１と矢印１０２との間の領域では、輝度がなだらかに増加するように知覚されるため、この部分が画像ボケとして認識される。【０１３０】  同様に、図８（ｂ）に示す擬似インパルス駆動の場合、境界線付近において観察者に見える輝度分布では、矢印１０３と矢印１０４との間の領域で画像ボケが発生する．しかしながら、その傾斜は図８（ａ）に示すホールド駆動の場合と比べて急峻となっており、画像ボケが軽減されていることが分かる。【０１３１】  また、あるフレームにおける、画素への画像信号の階調が、上記閾値よりも高い階調を示している場合、すなわち、高輝度領域では、当該フレームにおける上記画素の輝度の高低は、主として、第１サブフレームの表示信号の値の大小によって制御される。したがって、第１及び第２のサブフレームの輝度を略等分に割り振る構成と比較して、画素の第１サブフレームにおける輝度と、第２サブフレームにおける輝度との差を大きく設定できる。この結果、あるフレームにおける画像信号の階調が高輝度領域の階調を示しているときにも、殆どの場合で、当該フレームにおける画素の発光状態をインパルス型発光に近づけることができ、画素アレイ２０に動画表示する際の画質を向上できる。【０１３２】  さらに、上記構成では、上記画像信号の階調が高輝度領域の階調を示しているとき、第２サブフレームの表示信号は、明表示用に定められた範囲内の値になり、上記画像信号の示す輝度が高くなるに従って、第１サブフレームの表示信号が大きくなる。したがって、白表示が指示された場合にも暗表示する期間を必ず設ける構成と比較して、当該フレームにおける画素の輝度を高くすることができる。この結果、画素の発光状態を上記インパルス型に近づけることによって、動画表示時の画質を向上しているにも拘わらず、画素の輝度の最高値を大幅に増大させることができ、��り明るい表示装置を実現できる。【０１３３】  なお、本実施形態においては、インパルス駆動を行うことによる動画ボケの軽減を目的に時分割階調変換を行っているが、本発明においては階調の変換方法について特定されるものではなく、入力の１フレームを複数のサブフレームに時分割して表示駆動を行うようなあらゆる画像表示装置について適用できる。【０１３４】  また、発明を実施するための最良の形態の項においてなした具体的な実施態様または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１３５】  本発明の表示装置は、以上のように、１フレームを複数のサブフレームに時分割し、該複数のサブフレームの画像を１フレームの期間に表示することで、該１フレームの画像を表示する表示装置であって、表示画面が垂直方向に分割され、各分割画面領域にて独立して画像表示可能な表示モジュールと、上記表示モジュールの画像表示動作を制御する制御手段とを備え、上記制御手段が、入力される画像信号を上記表示モジュールの分割画面領域に対応して分割する信号分割部と、入力される画像信号より、複数の各サブフレーム毎の表示信号を生成する信号生成部とを含むことを特徴としている。ここで、上記信号生成部は、動画ボケの改善などを意図して複数の各サブフレーム毎の表示信号を生成する。【０１３６】  該構成では、１つのフレームを複数のサブフレームに時分割し、複数のサブフレームの画像を表示することで１フレームの画像を表示するサブフレーム表示を行うにおいて、表示モジュールとして表示画面が垂直方向に複数に分割され、各分割画面領域で独立して画像表示可能な表示モジュールを用いているので、サブフレーム表示を行ったとしても、画素に画像信号の電圧を印加する時間を長くでき、電圧を十分に印加することができるようになる。【０１３７】  それゆえ、フレームをサブフレームに時分割して駆動しても、画素充電時間を十分に得ることが可能な表示装置を提供できるといった効果を奏する。【０１３８】  従って、本発明によれば、液晶テレビジョン受像機や液晶モニタをはじめとする種々の表示装置の駆動装置として、広く好適に使用できる。
【図１】
0004732440.tif 000002
【図２】
0004732440.tif 000003
【図３】
0004732440.tif 000004
【図４】
0004732440.tif 000005
【図５】
0004732440.tif 000006
【図６】
0004732440.tif 000007
【図７】
0004732440.tif 000008
【図８（ａ）】
0004732440.tif 000009
【図８（ｂ）】
0004732440.tif 000010